(57)【要約】【課題】  震動吸収作用を発揮する面状弾性体の有効面積を拡大し、重量物の転倒防止効果を高める。【解決手段】  墓石建造物１において、基礎石２と竿石３の間に４枚の転倒防止パッド４と同数の加圧プレート５を介装する。転倒防止パッド４は、面状弾性体６の偏心位置に点状支持体７を埋設している。面状弾性体６は、竿石３の震動を吸収する柔軟な透明ゲル状弾性材料で成形されている。点状支持体７は、ゲル状弾性材料よりも硬質の金属または樹脂で成形され、竿石３の荷重によって塑性変形する。墓石建造物１の免震施工に際し、４枚の転倒防止パッド４を点状支持体７が基礎石２の内側を向く姿勢で基礎石２の上面に配置する。【選択図】        図１
2013007401.tif 000002
【特許請求の範囲】
【請求項１】
地震による重量物の転倒を防止するために、基礎と重量物との間に介装される転倒防止パッドにおいて、重量物の震動を吸収する柔軟材料からなる面状弾性体と、面状弾性体よりも硬質で重量物の荷重によって塑性変形する材料からなる点状支持体とを備え、点状支持体を面状弾性体の中心から偏った位置に保持したことを特徴とする転倒防止パッド。
【請求項２】
前記点状支持体を面状弾性体の角部に埋設した請求項１記載の転倒防止パッド。
【請求項３】
前記点状支持体を一部が露出する状態で面状弾性体に埋設した請求項１または２記載の転倒防止パッド。
【請求項４】
前記面状弾性体を透明なゲル状弾性材料で成形した請求項１、２または３記載の転倒防止パッド。
【請求項５】
前記面状弾性体の表裏両面に粘着層を設けた請求項１〜４の何れか一項に記載の転倒防止パッド。
【請求項６】
地震による重量物の転倒を防止するために、基礎と重量物との間に転倒防止パッドを介装した建造物において、前記転倒防止パッドが、重量物の震動を吸収する柔軟材料からなる面状弾性体と、面状弾性体よりも硬質で重量物の荷重によって塑性変形する材料からなる点状支持体とを備え、点状支持体が面状弾性体の中心から偏った位置に保持され、少なくとも３つの転倒防止パッドが点状支持体を基礎の内側に向けた姿勢で配置されていることを特徴とする免震建造物。
【請求項７】
前記転倒防止パッドと重量物との間に、面状弾性体および点状支持体を同じ高さに圧縮するための加圧プレートが介装されている請求項６記載の免震建造物。
【発明の詳細な説明】
【技術分野】
【０００１】
本発明は、地震による重量物の転倒を防止する転倒防止パッドと、このパッドを用いた免震建造物とに関する。
【背景技術】
【０００２】
従来、図７に示すような転倒防止パッド５１が知られている。このパッド５１は、重量物の震動を吸収する柔軟材料からなる面状弾性体５２と、重量物の荷重によって塑性変形する点状支持体５３とを備えている。点状支持体５３は、リング５４を介して面状支持体５２の中心に埋設保持されている。そして、図８に示すような墓石建造物５５において、４枚の転倒防止パッド５１を基礎石５６と竿石５７との間に介装し、重量物である竿石５７の地震に伴う転倒を防止できるようになっている。
【０００３】
特許文献１には、重量物の震動を効率よく吸収するために、面状弾性体５２をポリウレタンゴム、ブチルゴム、アクリルゴム、シリコンゴム、天然ゴム等の柔軟な弾性材料でシート状に成形するとともに、重量物の荷重で面状弾性体５２が押し潰されないように、点状支持体５３をスズ、ハンダ、鉛、銀またはプラスチック等の比較的硬質の塑性変形材料で球状に形成した転倒防止シートが記載されている。
【先行技術文献】
【特許文献】
【０００４】
【特許文献１】特許第４２３８２７７号公報
【発明の概要】
【発明が解決しようとする課題】
【０００５】
ところが、従来の転倒防止パッド５１によると、比較的硬質の点状支持体５３がそれよりも軟質の面状弾性体５２の中心に保持されているので、震動吸収作用を発揮する面状弾性体５２の有効面積が減少する。例えば図８に示すように、４枚の転倒防止パッド５１を使用した場合は、各面状弾性体５２において約１／４の面積が基礎石５６の内側領域（点状支持体５３を結ぶ四角形の内側領域）に含まれる。このため、面状弾性体５２の有効面積が減少し、重量物の転倒防止効果に悪影響が及ぶという問題点があった。
【０００６】
そこで、本発明の目的は、面状弾性体の有効面積を拡大し、重量物の転倒防止効果を高めることができる転倒防止パッド、および、このパッドを使用した免震建造物を提供することにある。
【課題を解決するための手段】
【０００７】
上記課題を解決するために、本発明は、地震による重量物の転倒を防止するために、基礎と重量物との間に介装される転倒防止パッドにおいて、次のような手段を提供する。
【０００８】
（１）重量物の震動を吸収する柔軟材料からなる面状弾性体と、面状弾性体よりも硬質で重量物の荷重によって塑性変形する材料からなる点状支持体とを備え、点状支持体を面状弾性体の中心から偏った位置に保持したことを特徴とする転倒防止パッド。
【０００９】
（２）点状支持体を面状弾性体の角部に埋設したことを特徴とする転倒防止パッド。
【００１０】
（３）点状支持体を一部が露出する状態で面状弾性体に埋設したことを特徴とする転倒防止パッド。
【００１１】
（４）面状弾性体を透明なゲル状弾性材料で成形したことを特徴とする転倒防止パッド。
【００１２】
（５）面状弾性体の表裏両面に粘着層を設けたことを特徴とする転倒防止パッド。
【００１３】
また、本発明は、地震による重量物の転倒を防止するために、基礎と重量物との間に転倒防止パッドを介装した免震建造物において、次のような手段を提供する。
【００１４】
（６）転倒防止パッドが、重量物の震動を吸収する柔軟材料からなる面状弾性体と、面状弾性体よりも硬質で重量物の荷重によって塑性変形する材料からなる点状支持体とを備え、点状支持体が面状弾性体の中心から偏った位置に保持され、少なくとも３つの転倒防止パッドが点状支持体を基礎の内側に向けた姿勢で配置されていることを特徴とする免震建造物。
【００１５】
（７）転倒防止パッドと重量物との間に、面状弾性体および点状支持体を同じ高さに圧縮するための加圧プレートが介装されていることを特徴とする免震建造物。
【発明の効果】
【００１６】
本発明の転倒防止パッドおよび免震建造物によれば、点状支持体を面状弾性体の中心から偏った位置に保持したので、点状支持体を基礎の内側に向けて配置することによって、面状弾性体の有効面積を拡大し、重量物の転倒防止効果を高めることができる。
【図面の簡単な説明】
【００１７】
【図１】本発明の一実施形態を示す墓石建造物の分解斜視図である。
【図２】墓石建造物に使用する転倒防止パッドを示す斜視図である。
【図３】転倒防止パッドの作用を示す墓石建造物の立面図である。
【図４】転倒防止パッドの配置を示す墓石建造物の平面図である。
【図５】転倒防止パッドにおける面状弾性体の変更例を示す斜視図である。
【図６】転倒防止パッドにおける点状支持体の変更例を示す斜視図である。
【図７】従来の転倒防止パッドを示す斜視図である。
【図８】従来の転倒防止パッドの配置を示す墓石建造物の平面図である。
【発明を実施するための形態】
【００１８】
以下、本発明を墓石建造物に具体化した一実施形態を図面に基づいて説明する。図１に示す墓石建造物１は地盤上に基礎石２を備え、基礎石２の上に重量物である竿石３が立てられている。基礎石２と竿石３との間には４枚の転倒防止パッド４が介装され、各パッド４と竿石３との間に加圧プレート５が設けられている。そして、地震発生時に、４枚の転倒防止パッド４によって竿石３の転倒を防止できるようになっている。
【００１９】
図２（ａ）に示すように、転倒防止パッド４は、角付き円形の面状弾性体６と、球形の点状支持体７と、円環状のホルダ８とを備えている。面状弾性体６は、弾粘性を保有する柔軟な透明ゲル状弾性材料で成形され、中心から偏った位置に角部６ａを備えている。点状支持体７は、ゲル状弾性材料よりも硬質の金属または樹脂で成形され、ホルダ８を介して面状弾性体６の角部６ａに埋設され、竿石３の荷重によって塑性変形する。なお、図２（ｂ）に示すように、ホルダ８を省き、点状支持体７をゲル状弾性材料中に直に埋設してもよい。
【００２０】
図３（ａ）に示すように、点状支持体７の直径は面状弾性体６の厚さよりも大きく、転倒防止パッド４の自然状態で、点状支持体７の一部が面状弾性体６の表面より露出する。面状弾性体６は表裏両面に粘着層６ｂ，６ｃを備え、裏側粘着層６ｂが基礎石２に接着し、表側粘着層６ｃが加圧プレート５に接着する。図３（ｂ）に示すように、加圧プレート５は、面状弾性体６よりも若干大きな面積で形成され、竿石３の下面に接着剤（図示略）で接着され、竿石３の荷重を受けて面状弾性体６と点状支持体７を同じ高さに圧縮する。
【００２１】
図４に示すように、墓石建造物１の免震施工に際しては、４枚の転倒防止パッド４を基礎石２の上面に貼り付け、それぞれのパッド４に加圧プレート５を被着し、パッド４およびプレート５を基礎石２と竿石３との間に介装する。このとき、転倒防止パッド４は、４枚共に点状支持体７が基礎石２の内側を向く姿勢で基礎石２上に配置する。こうすれば、点状支持体７が面状弾性体６の偏心位置に保持されているので、ゲル状弾性材料の大部分が基礎石２の外側領域（点状支持体７を結ぶ四角形の外側領域）に配置される。
【００２２】
したがって、この実施形態の免震墓石建造物１によれば、震動吸収作用を発揮する面状弾性体６の有効面積を拡大し、竿石３の転倒防止効果を高めることができる。また、点状支持体７が一部を露出させた状態で透明な面状弾性体６の角部６ａに埋設されているため、施工に際して、転倒防止パッド４を正しい向きで基礎石２上に簡単に接着できる。しかも、加圧プレート５が転倒防止パッド４の全体を均等な高さに圧縮するので、全方位の震動を均一に吸収できるうえ、竿石３の垂直度を容易に調整できる利点もある。
【００２３】
本発明は、上記実施形態に限定されるものではなく、以下に例示するように、面状弾性体や点状支持体の形状、あるいは、転倒防止パッドの用途を適宜に変更して実施することもできる。
【００２４】
（１）図５（ａ）に示すように、面状弾性体１６を四角形に形成し、いずれか一つの角部１６ａに点状支持体７を埋設すること。
（２）図５（ｂ）に示すように、面状弾性体２６を三角形に形成し、いずれか一つの角部２６ａに点状支持体７を埋設すること。
【００２５】
（３）図６に示すように、点状支持体３７を（ａ）円錐、（ｂ）三角錐、（ｃ）円柱、（ｄ）６面体、（ｅ）１２面体、（ｆ）２０面体に形成すること。
（４）図２、図５に示す転倒防止パッド４を灯篭、手水鉢、石碑等の石材建造物のほか、アンカーボルトで固定できない木材建造物または鋼材建造物に適用すること。
【符号の説明】
【００２６】
１    墓石建造物
２    基礎石
３    竿石
４    転倒防止パッド
５    加圧プレート
６    面状弾性体
６ａ    角部
６ｂ    裏側粘着層
６ｃ    表側粘着層
７    点状支持体
【図１】
2013007401.tif 000003
【図２】
2013007401.tif 000004
【図３】
2013007401.tif 000005
【図４】
2013007401.tif 000006
【図５】
2013007401.tif 000007
【図６】
2013007401.tif 000008
【図７】
2013007401.tif 000009
【図８】
2013007401.tif 000010